(57)【特許請求の範囲】
【請求項１】
支軸の一端を支持するステータ部と、筒状部の開口が前記ステータ部で塞がれて前記支軸の他端を支持するカバーケースと、前記支軸が貫通する軸受を介して回転自在に支持されているロータフレームとを備える扁平形モータであって、
前記ロータフレームは、扁平形円筒状で、平板部と、前記平板部の中央で当該平板部から屈曲して軸方向に延びる外周側円筒部と、前記外周側円筒部の先端から内側へ屈曲して当該外周側円筒部の延出方向とは逆方向に延び、内周面に前記軸受が固定された内周側円筒部を持ち、前記外周側円筒部の内周面と前記内周側円筒部の外周面とが隣接しており、  前記軸受には前記内周側円筒部から内側方向への力が働いていることを特徴とする、扁平形モータ。
【請求項２】
請求項１に記載の扁平形モータにおいて、前記内周側円筒部又は前記外周側円筒部の一端が内側へ張り出た内周鍔部となっており、前記軸受の端面が前記内周鍔部に当接していることを特徴とする扁平形モータ。
【発明の詳細な説明】
【技術分野】
【０００１】
本発明は、携帯電話機等に内蔵される扁平形振動モータに関し、特にその軸受の固定構造に関する。
【背景技術】
【０００２】
従来、扁平形振動モータとしては例えばブラシレスモータで、支軸の一端がバーリング部に圧入されたステンレス製円盤状のベース板と、開口部がベース板で塞がれて支軸の他端が軸装着孔に嵌入したステンレス製で有底円筒状のカバーケースと、支軸が貫通する滑り軸受を介して回転自在に支持されて軸方向界磁型のロータマグネット及び偏心錘を持つロータフレームと、ベース板上に重ねられて複数個の空芯コイルや電流制御用ＩＣなどの電子部品を搭載するフレキシブル印刷配線板とを備える。【０００３】
ロータフレームは、内方に突き出されたフランジを有し、滑り軸受はこのフランジに加締めによって固定されている。
【先行技術文献】
【特許文献】
【０００４】
【特許文献１】特開２００５−２７４８４（図５）
【発明の概要】
【発明が解決しようとする課題】
【０００５】
上記の扁平形振動モータにおいて、ロータフレームに加締め固定される滑り軸受は、外周部に加締め用環状突起を持つため、滑り軸受が特殊形状となり、コスト高を招く。また、加締め加工の分だけ工数の増加を招き、この点でもコスト高の要因となってしまう。【０００６】
さらに、加締め加工では軸受の一部を変形させる為、軸受そのものの変形や軸挿通孔の形状不良を招く恐れが有り、取付精度、同軸度に不具合を生じる恐れもある。【０００７】
加締め加工を採用せず、ロータフレームに円筒状の軸受保持部を成形し、軸受を圧入固定する構造を採用した場合、軸受は通常の円筒状の軸受を用いることが出来るが、この場合、軸受の固定強度に不安があり、振動モータの駆動中に軸受が脱落してしまう恐れがあった。【０００８】
そこで上記問題に鑑み、本発明の課題は、通常の円筒状の軸受を用いることができ、且つ、軸受を変形させること無く、十分な固定強度をもって軸受を固定することの出来る固定構造を持つ扁平形振動モータを提供することにある。
【課題を解決するための手段】
【０００９】
本発明に係る扁平形振動モータは、支軸の一端を支持するステータ部と、筒状部の開口がステータ部で塞がれて支軸の他端を支持するカバーケースと、支軸が貫通する軸受を介して回転自在に支持されているロータフレームとを備える扁平形モータであって、ロータフレームは、扁平形円筒状で、平板部と、平板部の中央で当該平板部から屈曲して軸方向に延びる外周側円筒部と、外周側円筒部の先端から内側へ屈曲して当該外周側円筒部の延出方向とは逆方向に延びる内周側円筒部を持ち、軸受が内周側円筒部に弾性的に嵌め込み固定されていることを特徴とする。【００１０】
ロータフレームの内周側円筒部が、外周側円筒部の先端から内側へ屈曲して外周側円筒部の延出方向とは逆方向に延びていることから、内周側円筒部には、主に屈曲の反力として、外周側円筒部から屈曲した端部とは反対の端部側を中心に内側方向へ向かう力が働いており、ここに円筒状の軸受を固定すると、この内側方向の力により、軸受が弾性的に固定される。従来の圧入固定に比べ、軸受には常時内周側円筒部からの内側方向への力が働いていることになり、軸受は十分な固定強度をもって固定される。【００１１】
また、内周側円筒部の一端が内側へ張り出た内周鍔部となっており、軸受の端面が内周鍔部に当接する構成とすることもできる。【００１２】
内周鍔部に軸受が当接することにより、軸受の抜けを防止することができ、軸受の固定強度を一層高めることが可能となる。
【発明の効果】
【００１３】
本発明によれば、通常の円筒状の軸受を用いることができ、且つ、軸受を変形させること無く、十分な固定強度をもって軸受を固定することの出来る固定構造を持つ扁平形振動モータを提供できる。
【図面の簡単な説明】
【００１４】
【図１】（Ａ）は本発明の実施例１に係る扁平形振動モータの縦断面図、（Ｂ）は（Ａ）のａ部拡大図である。
【図２】（Ａ）は本発明の実施例２に係る扁平形振動モータの縦断面図、（Ｂ）は（Ａ）のｂ部拡大図である。
【発明を実施するための形態】
【００１５】
次に、本発明の実施形態を添付図面に基いて説明する。
【実施例１】
【００１６】
図１（Ａ）は本発明の実施例１に係る扁平形振動モータの縦断面図、（Ｂ）は（Ａ）のａ部拡大図である。【００１７】
本発明の扁平形振動モータは、例えばブラシレスモータで、支軸１の一端を支持するプレート１１とこのプレート１１に重ね合わされた回路基板１２を有し、回路基板１２上には複数個の空芯コイル１３や電子部品１４が搭載されており、これらでステータ部１０を形成している。【００１８】
また、支軸１の他端を支持するカバーケース２０と、支軸１が貫通する軸受３１を介して回転自在に支持されているロータ部３０とを備えており、カバーケース２０の開口部２０ａはステータ部１０で塞がれている。【００１９】
ロータ部３０は、軸受３１と、軸受３１を内嵌したロータフレーム３２と、ロータフレーム３２に固定されたロータマグネット３３と、ロータマグネット３３の外側で同じくロータフレーム３２に固定された偏心錘３４とからなる。【００２０】
ロータフレーム３２は、扁平形円筒状で、中央孔３２ａが形成された平板部３２ｂと、平板部３２ｂの中央孔３２ａ側において、平板部３２ｂから屈曲して軸方向に延びる外周側円筒部３２ｃと、外周側円筒部３２ｃの平板部３２ｂから屈曲した端部とは反対の端部から内側に屈曲し、外周側円筒部３２ｃの延出方向とは逆方向に延び、軸受３１が固定される内周側円筒部３２ｄを持つ。なお、４０は軸受３１に当接してロータ部３０を支えるワッシャである。【００２１】
このようなロータフレーム３２においては、内周側円筒部３２ｄが、外周側円筒部３２ｃの端部から内側へ屈曲して外周側円筒部３２ｃの延出方向とは逆方向に延びていることから、内周側円筒部３２ｄには、主に屈曲の反力として外周側円筒部３２ｃから屈曲した端部とは反対の端部側を中心に内側方向へ向かう力が働いている。【００２２】
内周側円筒部３２ｄ（中央孔３２ａ）に円筒状の軸受３１を固定すると、この内側方向の力により、軸受３１が弾性的に固定される。従来の圧入固定に比べ、軸受３１には常時内周側円筒部３２ｄからの内側方向への力が働いていることになり、軸受３１は十分な固定強度をもって固定される。その為、加締め固定に対応した特殊な形状の軸受を使用する事無く一般的な円筒状の軸受を用いることができ、且つ、加締め固定により軸受を変形させること無く、十分な固定強度をもって軸受を固定することが出来る。
【実施例２】
【００２３】
図２（Ａ）は本発明の実施例２に係る扁平形振動モータの縦断面図、（Ｂ）は（Ａ）のｂ部拡大図である。図２において図１に示す部分と同一部分には同一参照符号を付し、その説明は省略する。本例の扁平形振動モータにおいて、図１に示す扁平形振動モータと異なる部分はロータフレーム３２にあり、内周側円筒部３２ｄの一端が内側へ張り出た内周鍔部３２ｅとなっており、軸受３１の端面が内周鍔部３２ｅに当接する構成となっている。【００２４】
内周鍔部３２ｅに軸受３１が当接することにより、軸受３１の抜けを防止することができ、軸受３１の固定強度を一層高めることが可能となる
本例では、内周鍔部３２ｅは内周側円筒部３２ｄから成形されているが、外周側円筒部３２ｃから成形し、内周側円筒部３２ｄよりも内側に突出させる構造を採用しても良い。また、内周側円筒部３２ｄの外周側円筒部３２ｃから屈曲した端部とは反対の端部側から成形される構造に限らず、外周側円筒部３２ｃから屈曲した端部側に成形しても良いし、端部以外の部分から成形しても良い。【００２５】
また本例では、外周側円筒部３２ｃは図中下側に延びているが、図中上側に延びる構造を採用することも可能である。【００２６】
本例では、支軸１が固定された固定軸型の扁平形振動モータについて説明してきたが、軸回転型の扁平形振動モータを採用することも可能であり、その他本発明の要旨を変更しない範囲での各公知構造への変更も可能である。
さらに、振動モータだけでなく、扁平形モータにも適用可能である。
【符号の説明】
【００２７】
１…支軸
１０…ステータ部
１１…プレート
１２…回路基板
１３…空芯コイル
１４…電子部品
２０…カバーケース
２０ａ…開口部
３０…ロータ部
３１…軸受
３２…ロータフレーム
３２ａ…中央孔
３２ｂ…平板部
３２ｃ…外周側円筒部
３２ｄ…内周側円筒部
３２ｅ…内周鍔部
３３…ロータマグネット
３４…偏心錘
４０…ワッシャ
【図１】
0005849321.tif 000002
【図２】
0005849321.tif 000003